(57)【特許請求の範囲】
【請求項１】
通信端末に接続されるメータのデータをセンタ端末で収集する場合、センタ端末、交換機、公衆基地局、中継基地局を公衆回線を通して接続し、中継基地局の公衆基地局へのインタフェースは電波にて接続し、中継基地局の配下に複数の通信端末が属しており、中継基地局と各通信端末との間は子機間直接通話モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項２】
通信端末に接続されるメータのデータをセンタ端末で収集する場合、センタ端末、交換機、公衆基地局、中継基地局を公衆回線を通して接続し、中継基地局の公衆基地局へのインタフェースはＩＳＤＮにて接続し、中継基地局の配下に複数の通信端末が属しており、中継基地局と各通信端末との間は子機間直接通話モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項３】
通信端末に接続されるメータのデータをセンタ端末で収集する場合、センタ端末、交換機、公衆基地局、中継基地局を公衆回線を通して接続し、中継基地局の公衆基地局へのインタフェースはＤＳＬにて接続し、中継基地局の配下に複数の通信端末が属しており、中継基地局と各通信端末との間は子機間直接通話モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項４】
通信端末に接続されるメータのデータをセンタ端末で収集する場合、センタ端末、交換機、交換機に直接接続した中継基地局を公衆回線を通して接続し、中継基地局の交換機へのインタフェースは電波にて接続し、中継基地局の配下に複数の通信端末が属しており、中継基地局と各通信端末との間は子機間直接通話モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項５】
通信端末に接続されるメータのデータをセンタ端末で収集する場合、センタ端末、交換機、交換機に直接接続した中継基地局を公衆回線を通して接続し、中継基地局の交換機へのインタフェースはＩＳＤＮにて接続し、中継基地局の配下に複数の通信端末が属しており、中継基地局と各通信端末との間は子機間直接通話モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項６】
通信端末に接続されるメータのデータをセンタ端末で収集する場合、センタ端末、交換機、交換機に直接接続した中継基地局を公衆回線を通して接続し、中継基地局の交換機へのインタフェースはＤＳＬにて接続し、中継基地局の配下に複数の通信端末が属しており、中継基地局と各通信端末との間は子機間直接通話モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項７】
通信端末に接続されるメータのデータをセンタ端末で収集する場合、センタ端末、交換機、公衆基地局、中継基地局を公衆回線を通して接続し、中継基地局の公衆基地局へのインタフェースは電波にて接続し、中継基地局の配下に複数の通信端末が属しており、中継基地局と各通信端末との間は自営モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項８】
通信端末に接続されるメータのデータをセンタ端末で収集する場合、センタ端末、交換機、公衆基地局、中継基地局を公衆回線を通して接続し、中継基地局の公衆基地局へのインタフェースはＩＳＤＮにて接続し、中継基地局の配下に複数の通信端末が属しており、中継基地局と各通信端末との間は自営モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項９】
通信端末に接続されるメータのデータをセンタ端末で収集する場合、センタ端末、交換機、公衆基地局、中継基地局を公衆回線を通して接続し、中継基地局の公衆基地局へのインタフェースはＤＳＬにて接続し、中継基地局の配下に複数の通信端末が属しており、中継基地局と各通信端末との間は自営モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項１０】
通信端末に接続されるメータのデータをセンタ端末で収集する場合、センタ端末、交換機、交換機に直接接続した中継基地局を公衆回線を通して接続し、中継基地局の交換機へのインタフェースは電波にて接続し、中継基地局の配下に複数の通信端末が属しており、中継基地局と各通信端末との間は自営モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項１１】
通信端末に接続されるメータのデータをセンタ端末で収集する場合、センタ端末、交換機、交換機に直接接続した中継基地局を公衆回線を通して接続し、中継基地局の交換機へのインタフェースはＩＳＤＮにて接続し、中継基地局の配下に複数の通信端末が属しており、中継基地局と各通信端末との間は自営モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【請求項１２】
通信端末に接続されるメータのデータをセンタ端末で収集する場合、センタ端末、交換機、交換機に直接接続した中継基地局を公衆回線を通して接続し、中継基地局の交換機へのインタフェースはＤＳＬにて接続し、中継基地局の配下に複数の通信端末が属しており、中継基地局と各通信端末との間は自営モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となることを特徴とする低電力自動データ収集システム。
【発明の詳細な説明】
【０００１】
【発明の属する技術分野】
本発明は低電力自動データ収集システムに関し、特に、ＰＨＳの公衆回線及び子機間直接通話を利用して計量値データを収集する電気、ガス、水道などの自動検針システムにおいて、ＰＨＳの子機間直接通話でメータの計量値を上位機器に送信する通信端末部分の消費電力を低減する低電力自動データ収集システムに関する。
【０００２】
【従来の技術】
従来の低電力自動データ収集システムに採用されているＰＨＳの子機間直接通話について図２及び図４を参照しながら説明する。図２は本発明の低電力自動データ収集システムの子機間直接通話の発着呼シーケンスにおける送受信信号の構成を示す図であが、その中の図２の分図（ａ）は第二世代コードレス電話システム標準規格（ＲＣＲ  ＳＴＤ−２８（第２版））に記載されている子機間直接通話の発着呼シーケンスにおける送受信信号の呼出信号の構成を示す構成図である。
【０００３】
また、図４は従来の低電力自動データ収集システムにおける子機間直接通話の発着呼シーケンスを示す図である。
【０００４】
図４において、１は発呼側端末、２は着呼側端末である。次に、従来のＰＨＳの子機間直接通話を用いたシステムの発着呼動作について説明する。
【０００５】
ＰＨＳの子機間直接通話は、ＰＨＳ事業者の設置する公衆基地局を介さず端末同士で直接通話を行なう方式である。この方式では、発呼側端末１が発呼する時にのみ着呼側端末２を呼び出すための呼出信号を送出する。
【０００６】
標準規格では、子機間直接通話で使用できる周波数は１０波と定められており、発呼する際に発呼側端末１が全周波数をサーチして他の端末の通話で使用されているかどうかを確認し、空いている周波数で呼出信号を送出する。
【０００７】
呼出信号は、図２に示すような構成になっており、着呼側端末２は、呼出信号中の「着識別符号」により自己宛の着呼かどうかの判断を行なう。
【０００８】
この「着識別符号」は、「システム呼出符号または子機間グループ符号２９ビット」と、「ＰＳ呼出番号１３ビット」とからなり、標準規格では同一のシステム呼出符号または子機間グループ符号を持つ端末間でのみ通話が可能と定められており、また、ＰＳ呼出番号は各端末それぞれに１つの番号が割り当てられている。
【０００９】
着呼側端末２では、この「着識別符号」が自己の管理する番号と一致した時、自己宛の着呼と認識する。しかしながら、この呼出信号は発呼側端末１からいつ出力されるかわからないため、図４に示すように、数秒間隔で使用される周波数１０波をサーチしながら自分宛の着呼の有無を検出している。
【００１０】
子機間直接通話では、発呼側端末１からの１つの呼出信号の送出時間は１０秒以下と定められているため、着呼側端末２では最大でも１０秒おきに周波数のサーチを行いながら自分宛の着呼の有無を検出する必要がある。
【００１１】
前述の従来例では、常時１０波（全周波）をサーチする例について説明したが、１０波のうち３波を選択して常時この３波をサーチするものであってもよい。
【００１２】
【発明が解決しようとする課題】
上述した従来の低電力自動データ収集システムは、
第１の問題点は、端末器の動作時間が長く電池の消耗が著しいという問題点があった。
【００１３】
その理由は、端末器は、中継基地局からの呼出信号を検出するために、常時、数秒間隔（１０秒以下）で１０波の周波数サーチを行い、自分宛の着呼の有無を検出しなければならないためである。
【００１４】
本発明の目的は、端末器の消費電力を低減することができ、電池により長時間の動作が可能な低電力自動データ収集システムを提供することにある。
【００１５】
【課題を解決するための手段】
本発明の低電力自動データ収集システムは、通信端末に接続されるメータのデータをセンタ端末で収集する場合、センタ端末、交換機、公衆基地局、中継基地局、またはセンタ端末、交換機、交換機に直接接続した中継基地局を公衆回線を通して接続し、中継基地局の公衆基地局、または交換機へのインタフェースは電波、ＩＳＤＮ、またはＤＳＬにて接続し、中継基地局の配下に複数の通信端末が属しており、中継基地局と各通信端末との間は子機間直接通話モード、または自営モードを使用した１つの電波にて接続し、中継基地局に属する全通信端末は、中継基地局が送出する呼出信号に含む中継基地局の固有番号を認識する様にし、中継基地局とそれに属する１つの通信端末との通信内容を、前記中継基地局に属する他の通信端末が同時に取り込み、且つ中継基地局と前記１つの通信端末が行うメータデータ通信内容に対し、通信端末の待機状態となる時間情報を、付加データの先頭を示すワードを伴なって、付加することにより、中継基地局に属する全通信端末が付加された時間情報で指定された期間、中継基地局からの呼出の監視や通信を行わずに待機する待機状態となるよう構成する。
【００１６】
【発明の実施の形態】
次に、本発明の実施の形態について図面を参照して説明する。
【００１７】
図１は本発明の低電力自動データ収集システムの一実施の形態を示すブロック図である。
【００１８】
図１を参照すると、本発明は図１に示すＰＨＳを用いたテレメータ等データ収集を目的としたシステムにおいて、通信端末５，６，７の部分の消費電力を低減するものである。
【００１９】
図１を用いて特徴を説明する。図１にて通信端末５，６，７に接続されるメータの数値をセンタ端末２に接続する一実施の形態を示す。センタ端末２、交換機１、公衆基地局３、中継基地局４は公衆回線を通して接続される。
【００２０】
中継基地局４の公衆基地局３へのインタフェースは電波にて接続されている。
【００２１】
中継基地局４と通信端末５，６，７間は電波８にて接続される。これはＰＨＳの場合自営または子機間直接通話モードを想定する。
【００２２】
ここで一つの中継基地局４のＣＳ−ＩＤ（中継基地局個々の固有番号）は通信端末５，６，７各々には既知である。また、ＰＨＳの場合中継基地局４が送出する呼出信号（呼出信号の中には呼出元（中継基地局）ＩＤと呼出先（指定の通信端末）ＩＤが含まれる）は中継基地局４配下の通信端末５，６，７すべてが取り込み、各々が自己への着信かどうか判断することとなっている。このことにより自分の属する中継基地局４と他の通信端末の通信を認識することが可能である。これを利用し中継基地局４と１つの通信端末の通信を他の通信端末が同時に取り込み、且つ通信内容に通信に関わる時間的情報を乗せることにより、１つの通信にて中継基地局４配下の全通信端末５，６，７に一意の通信情報を持たせるものである。この通信情報は中継基地局４から通信端末５，６，７方向へ送られる。
【００２３】
図３は本発明の低電力自動データ収集システムの付加データの信号の構成を示す構成図である。
【００２４】
通信情報として図３に含まれる付加データを使用した場合、通信情報を取り込んだ時点から待機状態に入るまでの待機開始時間、待機状態の期間を示す待機時間が取り込まれる。通信端末５，６，７はこの待機時間に従って一定時間待機状態となり、一定時間経過後再度通信可能な状態に復帰する。
【００２５】
この通信情報を全通信端末５，６，７が同時に取得出来る特徴により全通信端末５，６，７が連動して低消費電力状態となる待機状態、通信可能状態の２つのモードを等しい時間的単位にて変化できることを特徴とする。
【００２６】
一般的通信端末の消費電流値は着信確認中は２５０ｍＡ程度、通信中は３００ｍＡ程度の電流が必要であるが、待機状態は３０μＡ程度と出来る。
【００２７】
本発明は機能を維持しながら着信確認、通信時間を削減し、このことによりバッテリにて動作する通信端末において運用期間を長くすることを目的とするものである。
【００２８】
ＰＨＳを使用した自動データ収集システムの構成例として図１に示す構成にてテレメータシステムを構築した実施の形態とする。
【００２９】
この実施の形態にて中継基地局４と通信端末５，６，７間は子機直接通話にて接続することとする。ＰＨＳは公衆網にて使用されている公衆モード、企業等一定の単位内にて使用される自営モード、コードレス電話等との接続を可能とする子機間直接通話の３モードを持つ。
【００３０】
本発明は自営、及び子機間直接通話に適用可能である。自営、子機間直接通話にて動作上は大きく異なる点は自営の場合一定周期にて呼出等の制御情報が中継基地局４から送出され、通信端末５，６，７からの制御情報もこれに同期して送出するが、子機間直接通話の場合は任意の時間に制御情報を送出してよいことが異なる。
【００３１】
従来はこのシステムにおいて第２世代コードレス電話システム規格（ＲＣＲ  ＳＴＤ−２８）に記載される子機間直接通話のシーケンスに基づき制御される。
【００３２】
このときの基本動作を説明する。この接続は任意の時間に可能である。これは接続を要求する装置が一定期間（子機間直接通話の場合は連続最大１０秒）呼出信号を送出する。他の端末は１０秒以下の周期にてこの呼出信号を監視することにより着呼を判断することとしている。呼出信号は図２の分図（ａ）に示すＳＣＣＨ信号であり、任意の時間にて送出される信号を同期化する為のＵＷ信号（３２ｂｉｔ）を検出し、それに続く着識別符号、発識別符号から送信端末、着信端末を特定している。呼出信号の発識別符号から指定された通信端末は、図２の分図（ｂ）に示す通常のＴＣＨ信号の通信データＩにテレメータデータを乗せて中継基地局４、公衆基地局３、そして交換機１を経てセンタ端末２にテレメータデータを送信する。
【００３３】
この場合の通信は必ず１対１にて行われ、他の端末がその通信内容を取り込むことはない。また、子機間直接通話にて使用される周波数は１０波あり、通信端末は使用される周波数１０波を最大でも１０秒間隔にて着信確認のためにサーチする必要がある。
【００３４】
本発明では、機器の構成は従来と全く同一である。しかし、以下の２点が異なる。
【００３５】
・通信端末は各々の属する中継基地局（通信端末５〜７に対する中継基地局４）のＣＳ−ＩＤ（ＣＳ−ＩＤはシステム呼出符号または子機間グループ符号に含まれる）を認識して動作する。本発明において通信端末は他機と中継基地局間の通信であってもその内容を取り込む動作を行う。
【００３６】
・子機間直接通話の場合数秒間隔にて着信確認を行うが、本発明においては中継基地局と連動において任意の間隔にて着信確認を行う。
【００３７】
次に、本発明の実施の形態の動作について、図１、図２、および図３を参照して詳細に説明する。
【００３８】
図２は本発明の低電力自動データ収集システムの子機間直接通話の発着呼シーケンスにおける送受信信号の構成を示す図である。
【００３９】
図１においてセンタ端末２が通信端末５からデータを取得する場合の動作を説明する。センタ端末２、交換機１、公衆基地局３、そして中継基地局４までは公衆網にて接続され、中継基地局４から通信端末５に対して無線８にて呼を接続する。
【００４０】
中継基地局４において公衆ＰＨＳのインタフェースを子機間直接通話の方式に変換し接続するがその際、図２の分図（ｃ）に示す付加データ有のＴＣＨ信号の通信データＩに図３に示すような付加データを付加する。図３に示す付加データには以後の待機開始時間、待機期間についての情報が含まれる。図３の付加データは図２の分図（ｂ）に示す通常のＴＣＨ信号にて通信される通信データＩ（この場合はセンタ端末２とメータ情報のやりとりをＴＣＨ信号にて行う）に付加する形で渡される。
【００４１】
通信端末５は図３に示す付加データを含んだ通信（具体的のは本来のメータ読み値についてセンタ端末２と通信し、以後付加データの取り込み）を行い、その後付加データに従い一定時間待機状態に入る。待機状態は無線上の通信を行わないこととし、このことから消費電力を非常に低く押さえることが可能である。
【００４２】
一般的電流値として着信確認中は２５０ｍＡ程度の電流が必要であるが、待機状態は３０μＡ程度に出来る。従来の動作では着信確認動作を数秒周期にて行うのに対し待機時間はこの動作を行わないため電力の消費量は大きく異なる。
【００４３】
付加データによる一定期間の待機を終えると、着信確認動作にはいる。このとき着信が有れば、通信後再度付加データによる待機にはいる。着信が無く、他の通信端末に対する着信を確認した場合は、その通信内容を取り込むことで付加データを得、待機状態に入る。
【００４４】
次に通信端末５が中継基地局４と通信した場合の通信端末６の動作を説明する。これは中継基地局４と通信端末５間の通信を取り込む動作であるため、中継基地局４と通信端末５間の通信と同時に動作する。
【００４５】
通信端末６は着信確認動作において他の通信端末に対する呼出信号に含まれるシステム呼出符号または子機間グループ符号を取り込む。これは図２に示すＳＣＣＨ信号であり、これに含まれる着識別符号、発識別符号から自らが属する中継基地局４の通信と判断出来、且つ他の通信端末５への通信であることが判断できる。
【００４６】
以後、第２世代コードレス電話システム規格に乗っ取りデータを受信する。付加データは中継基地局４から発せられるデータであり、下りデータのみ取り込む。取り込んだデータから図３に示すユニークワード（３２ｂｉｔ）、及びその後のデータを検出する。ユニークワード、及び付加データインディケーションから付加データで有ることを判断し、図３のデータを取り込む。また、取り込んだデータはＣＲＣにて正当性を確認する。ユニークワード、及び付加データインディケーションによるデータの識別は、無線８上でデータをある単位にて受け渡す場合に一般的に用いられる手法である。
【００４７】
本発明では通常のメータ情報に関する通信に図３のデータを付加する方式であるため、付加データの先頭を検出するためにユニークワード（３２ｂｉｔ）が必要であり、かつ付加データであることを示す付加データインディケーションが必要である。また、データの正当性確保のためＣＲＣデータを持つこととしている。
【００４８】
ＳＣＣＨ信号、ＴＣＨ信号も同様に信号全体としてデータに位置を示すためのユニークワードＵＷを使用している。よって、このユニークワードＵＷと図３付加データにて使用するユニークワードは異なるものを使用する必要がある。
【００４９】
正当性確認後、各時間情報を元に待機動作、及びその後の通信動作に入る。このことにより、実際にデータのやりとりは中継基地局４と１つの通信端末のみで行うが、他の通信端末は実際の通信動作を行うことなく一致した待機動作を行うことが可能となる。
【００５０】
本実施の形態では通信端末５の待機動作と同様の動作を通信端末６，７が行うこととなる。このとき通信端末６，７は本来の通信を中継基地局４を行う必要はない。
【００５１】
待機時間を設定することにしたため、待機時間中は消費電力はほとんどなくなる。
【００５２】
テレメータの場合の最終目的はセンタ端末２におけるメータデータの一括管理である。センタ端末２に対する動作について説明する。待機動作制御を行った上で動作時間中に通信端末５，６，７から中継基地局４またはセンタ端末２に対し呼を接続しデータを送付する、または動作時間中にセンタ端末２から通信端末５，６，７に対し呼を接続しデータを取り込むことが可能である。また、一定期間にて中継基地局４と通信端末５，６，７間にて通信し、データを中継基地局４に保存することにより、センタ端末２からの通信端末５，６，７に対しする要求については中継基地局４が通信端末５，６，７の代わりにデータをセンタ端末２へ送付することも可能である。これは待機期間中のセンタ端末２から通信端末５，６，７への発呼時に有効である。
【００５３】
なお、通信端末５，６，７すべてが通信をモニタする必要があることから、使用する周波数は１つとする必要がある。通信端末５，６，７に複数の周波数を見ることが可能なＲＦインタフェースを持つ場合はその複数分の周波数を使用可能である。
【００５４】
次に、本発明の他の実施の形態として、図１において中継基地局４の公衆基地局３へのインタフェースをＩＳＤＮ、ＤＳＬ等の既知の通信回線とした場合や、中継基地局４と通信端末５，６，７間のインタフェースを自営モードとした場合、また中継基地局４を公衆基地局３に接続するのでなく直接交換機１に接続する中継方式としてもよく、そのインタフェースもＩＳＤＮ、ＤＳＬ等の既知の通信回線とした場合においても同様の制御が可能である。
【００５５】
【発明の効果】
以上説明したように、本発明の低電力自動データ収集システムは、
第１の効果は、通信を行わない期間中の通信端末の消費電力を低減することができる。
【００５６】
その理由は、中継基地局から通信端末への通信データに通信端末が待機状態となる期間情報を付加して通信端末へ通知することにより通信端末は待機状態と稼働状態になれるからである。
【図面の簡単な説明】
【図１】本発明の低電力自動データ収集システムの一実施の形態を示す構成図である。
【図２】本発明の低電力自動データ収集システムの子機間直接通話の発着呼シーケンスにおける送受信信号の構成を示す図である。
【図３】本発明の低電力自動データ収集システムの付加データの信号の構成を示す構成図である。
【図４】従来の低電力自動データ収集システムにおける子機間直接通話の発着呼シーケンスを示す図である。
【符号の説明】
１    交換機
２    センタ端末
３    公衆基地局
４    中継基地局
５，６，７    通信端末
【図１】
0003730863.tif 000002
【図２】
0003730863.tif 000003
【図３】
0003730863.tif 000004
【図４】
0003730863.tif 000005